(57)【要約】【課題】筐体強度が低下せず、光源にＬＥＤを用いても安価となり、暗視野部分のない明瞭な表示を可能とする照明看板装置を提供すること。【解決手段】上面、下面及び左右の側面が透光性を有しないパネル１２，１３，１４，１５で覆われるとともに、正面及び背面が透光性を有する表示パネル１６，１７で覆われ、上面、下面及び左右の側面の各パネル１２，１３，１４，１５が略矩形筒状に形成された扁平な略矩形箱状の筐体１１と、筐体１１内における上面に複数のＬＥＤ素子３８が筐体１１の幅方向に並んでユニット化されて配置され、上面から下面に向けて光を照射して表示パネル１６，１７の外面に形成された宣伝表示を外部に透光表示するＬＥＤ光源６０とを備えた。【選択図】図５
2013050620.tif 000002
【特許請求の範囲】
【請求項１】
上面、下面及び左右の側面が透光性を有しないパネル（１２，１３，１４，１５）で覆われるとともに、正面及び背面が透光性を有する表示パネル（１６，１７）で覆われ、前記上面、下面及び左右の側面の各パネルが略矩形筒状に形成された扁平な略矩形箱状の筐体（１１）と、
前記筐体内に配置され、前記上面、前記下面及び前記左右の側面のうちの少なくとも一つの面側から対向する面側に向けて光を照射して前記表示パネルの外面に形成された宣伝表示を外部に透光表示するＬＥＤ光源（４０，６０）と、
を備えたことを特徴とする照明看板装置。
【請求項２】
前記ＬＥＤ光源（４０，６０）が、前記筐体（１１）の前記上面、前記下面及び前記左右の側面の少なくとも一つの面に配置されたことを特徴とする請求項１記載の照明看板装置。
【請求項３】
前記ＬＥＤ光源（４０，６０）として、複数のＬＥＤ素子（３８）が前記上面、前記下面及び前記左右の側面の長手方向に沿って並んでユニット化された光源ユニットを用いたことを特徴とする請求項２記載の照明看板装置。
【請求項４】
上面、下面及び左右の側面が透光性を有しないパネル（１２，１３，１４，１５）で覆われるとともに、正面及び背面が透光性を有する表示パネル（１６，１７）で覆われ、前記上面、下面及び左右の側面の各パネルが略矩形筒状に形成された扁平な略矩形箱状の筐体（１１）と、
前記筐体内における前記上面に複数のＬＥＤ素子（３８）が前記筐体の幅方向に並んでユニット化されて配置され、前記上面から前記下面に向けて光を照射して前記表示パネルの外面に形成された宣伝表示を外部に透光表示するＬＥＤ光源（６０）と、
を備えたことを特徴とする照明看板装置。
【発明の詳細な説明】
【技術分野】
【０００１】
本発明は、コンビニエンスストアなどの店の前などに設置され、その店の商号や取扱い商品などを表示する照明看板装置に係り、ＬＥＤを照明光源として用いた照明看板装置に関する。
【背景技術】
【０００２】
一般に商号などを表示する照明看板は、上面、下面及び左右の側面が透光性を有しないパネルで覆われるとともに、正面及び背面が透光性を有する表示パネルで覆われた扁平な略矩形箱状の筐体と、筐体内に配置され、筐体の内側から表示パネルを照射して外部に透光表示する光源とを備えている。照明看板は、夜間などに光源を点灯することでその表示が目立つようになっている。下記特許文献１及び２に開示されるように、従来の照明看板には複数本の蛍光灯を光源に用いている。
【０００３】
これに対し、最近では自然光に近い波長を発光するＬＥＤが開発されており、ＬＥＤは消費電力が蛍光灯に比べて格段に小さいために電気代が安くなることから、省エネと経済性及び光源の新規性のアピールを兼ねて、下記特許文献３などに開示されるように、ＬＥＤを蛍光管の代わりに光源として用いることが推奨されている。
【先行技術文献】
【特許文献】
【０００４】
【特許文献１】特開平１０−３１９８８２号公報
【特許文献２】特開平１１−７２６０号公報
【特許文献３】特開２０１０−１５１８７６号公報
【発明の概要】
【発明が解決しようとする課題】
【０００５】
ところで、図８に示すように、従来の照明看板装置１は、筐体のフレーム２がアルミ合金のプレス成形体からなるとともに、筐体（フレーム２）内の中心に装置１の下部に立設されたスタンドポール３に連続する補強用ポール４を配置することによって、所要の筐体強度及び剛性を確保している。また、従来の照明看板装置１は、光源に蛍光灯５を用いており、図８に示すような縦長の装置１の場合には、フレーム２の内側に複数本の蛍光灯５が縦横に並んでいる。蛍光灯５は全方位的に光を照射するため、補強用ポール５の有無に関わらず、装置１の正面及び背面（各表示パネル）が均一な明るさとなるように照射することができる。
【０００６】
しかしながら、筐体内に筐体強度を高めるための補強用フレームや補強用ポール４などの補強部材があると、内側から光を照射したときに表示に暗視野部分があらわれてしまい、明瞭な表示ができないことがある。これを防ぐために補強用フレームや補強用ポール４などを設けないと、筐体強度が低下してしまう。
【０００７】
また、光源にＬＥＤを用いた場合、透光表示させるためには多数のＬＥＤを基板などに配置するため、看板装置の本体価格が高価になり、また、ＬＥＤの交換作業が煩雑となることからメンテナンス性が悪いものであった。特に、図８に示すような正面及び背面が表示面となる照明看板装置は、そのような多数のＬＥＤが配置された基板を背中合わせにして配置するため、更に多くのＬＥＤが必要となる。
【０００８】
そこで本発明は、上記状況に鑑みてなされたものであり、筐体強度が低下せず、また、光源にＬＥＤを用いても本体価格が安価となり、さらに、暗視野部分のない明瞭な表示を可能とする照明看板装置を提供することを目的としている。
【課題を解決するための手段】
【０００９】
次に、上記の課題を解決するための手段を、実施の形態に対応する図面を参照して説明する。
本発明に係る請求項１記載の照明看板装置１０（５０）は、上面、下面及び左右の側面が透光性を有しないパネル１２，１３，１４，１５で覆われるとともに、正面及び背面が透光性を有する表示パネル１６，１７で覆われ、前記上面、下面及び左右の側面の各パネル１２，１３，１４，１５が略矩形筒状に形成された扁平な略矩形箱状の筐体１１と、
前記筐体１１内に配置され、前記上面、前記下面及び前記左右の側面のうちの少なくとも一つの面側から対向する面側に向けて光を照射して前記表示パネル１６，１７の外面に形成された宣伝表示を外部に透光表示するＬＥＤ光源４０（６０）と、を備えたことを特徴としている。
【００１０】
請求項２記載の照明看板装置１０（５０）は、前記ＬＥＤ光源４０（６０）が、前記筐体１１の前記上面、前記下面及び前記左右の側面の少なくとも一つの面に配置されたことを特徴としている。
【００１１】
請求項３記載の照明看板装置１０（５０）は、前記ＬＥＤ光源４０（６０）として、複数のＬＥＤ素子３８が前記上面、前記下面及び前記左右の側面の長手方向に沿って並んでユニット化された光源ユニットを用いたことを特徴としている。
【００１２】
請求項４記載の照明看板装置５０は、上面、下面及び左右の側面が透光性を有しないパネル１２，１３，１４，１５で覆われるとともに、正面及び背面が透光性を有する表示パネル１６，１７で覆われ、前記上面、下面及び左右の側面の各パネル１２，１３，１４，１５が略矩形筒状に形成された扁平な略矩形箱状の筐体１１と、
前記筐体１１内における前記上面に複数のＬＥＤ素子３８が前記筐体１１の幅方向に並んでユニット化されて配置され、前記上面から前記下面に向けて光を照射して前記表示パネル１６，１７の外面に形成された宣伝表示を外部に透光表示するＬＥＤ光源６０と、を備えたことを特徴としている。
【発明の効果】
【００１３】
本発明に係る照明装置によれば、上面、下面及び左右の側面の各パネルがそれぞれ略矩形筒状に形成されているため、筐体を中空体としても筐体強度が低下しないようになる。また、筐体は完全な中空体であるため、これまで光を遮る原因となっていた補強部材による暗視野部分がなくなり、表示パネルの明瞭な表示が可能となる。さらに、ＬＥＤ（ＬＥＤ光源）からの光を上面、下面及び左右の側面の少なくとも一つの面側から対向する面側に向けて照射することにより、正面及び背面の表示パネルの均一な透光表示が可能となる。これにより、ＬＥＤの数量が抑えられ、低価格化を実現することができる。
【００１４】
また、ＬＥＤ光源が筐体の上面、下面及び左右の側面に配置されることでこれらの面側からの光の照射が可能となるとともに、外観をシンプルに構成することができる。
【００１５】
さらに、ＬＥＤ光源として、ＬＥＤがユニット化された光源ユニットを用いたことで組付けや光量調整などの作業が容易となる。また、ユニット化したことでこのユニットごとまとめて交換可能となるため、ＬＥＤを素子ごとに各個交換するという手間を省くことができるとともに、ＬＥＤを素子ごとに交換するときでも、その数量が少ないことに加えて、光源ユニットを簡単に筐体から取り出すことができるという利点があるため、筐体から取り出してから作業しやすい別の場所で交換作業を行えるようになる。これにより、メンテナンス性が向上する。
【図面の簡単な説明】
【００１６】
【図１】（ａ）本発明の第一の実施の形態を示す平面図である。  （ｂ）同正面図である。  （ｃ）同側面図である。
【図２】第一の実施の形態の他の例を示す斜視図である。
【図３】図１（ｂ）におけるＡ−Ａ線断面図（一部省略）である。
【図４】図１（ｂ）におけるＢ−Ｂ線断面図（一部省略）である。
【図５】（ａ）本発明の第二の実施の形態を示す平面図である。  （ｂ）同正面図である。  （ｃ）同側面図である。
【図６】第二の実施の形態の他の例を示す斜視図である。
【図７】第二の実施の形態における上部の側断面図である。
【図８】（ａ）従来の照明看板装置を示す平面図である。  （ｂ）同正面図である。  （ｃ）同側面図である。
【発明を実施するための形態】
【００１７】
以下、本発明の実施の形態を図面を参照して具体的に説明する。まず、図１乃至５を参照して第一の実施の形態を説明する。
【００１８】
「第一の実施の形態」
図１に示すように、照明看板装置１０は、扁平な略矩形箱状の筐体１１を備えている。筐体１１は、上面、下面及び左右の側面が透光性を有しないアルミ合金製の略矩形のパネル１２，１３，１４，１５で覆われて形成されており、また、正面及び背面がアクリル樹脂などからなる透光性を有する表示パネル１６，１７で覆われて形成されている。さらに、筐体１１には、その下面１３に円筒状のスタンドポール１８が一体的に設けられている。この実施の形態は、筐体１１の高さが２メートル程度の中型のものであり、スタンドポール１８を介して、例えば店の敷地内などに立設されている。
【００１９】
なお、図２にはこの形態の他の例、すなわち、筐体１１の高さが１メートル程度の小型のものを示している。ここでは、筐体１１は、スタンドポール１８を介して、キャスタ２０を備えた座板１９に設けられている。この例の場合は、キャスタ２０によって移動可能となるため、店の入口付近などのような任意の場所に設置されている。図２において、符号２１はＡＣ電源ケーブルである。ＡＣ電源ケーブル２１の一端は店舗の外に設けられたＡＣ電源ソケットに接続されるプラグ２２を備えており、他端は座板１９の底面及びスタンドポール１８を通じて筐体１１内に引き込まれている。図１と図２の例とは筐体１１のサイズが違うだけでその構造は共通するものである。
【００２０】
筐体１１の正面及び背面を形成する各表示パネル１６，１７は、左側面パネル１４と右側面パネル１５の間に配置されてアルミ合金製の仕切りフレーム２３によって上下に三つの区画に仕切られている。このうち、上部表示パネル１６ａ，１７ａはメイン表示面となる。上部表示パネル１６ａ，１７ａはパネル中の最も広い面積を有し、特に図２に示すように、この実施の形態では店のロゴなどが印刷されている。また、中間部表示パネル１６ｂ，１７ｂ及び下部表示パネル１６ｃ，１７ｃは、上部表示パネル１６ａ，１７ａよりは小さい面積の表示面となり、例えば、取扱い商品や営業時間などが印刷されている。
【００２１】
また、図１における符号２４は、上面パネルの長手方向（筐体１１の幅方向）の両端部に設けられたアイボルトである。このアイボルト２４は、主として設置時などに筐体１１をつり上げるときにロープ掛けするために設けられている。図２の例ではそのような必要はないため、アイボルトなどは設けられていない。
【００２２】
図３及び４に示すように、上面パネル１２、下面パネル１３、左側面パネル１４及び右側面パネル１５は共に、ビーム２５を内部に通して補強された扁平な略矩形筒状に形成されている。これらの各パネルは、それぞれの内側の面にボルト２６とナット２７によって略矩形箱状の筐体１１を形成するように連結されている。これにより、筐体１１内に形状保持のための補強部材を用いなくても所定の筐体強度を確保することができる。特に下面パネル１３は、補強板２８とスタンドポール１８の上面に一体化された連結用フランジ１８ａとの間に挟まれているため、他のパネル１２，１４，１５よりも高い強度を確保することができる。
【００２３】
上面パネル１２、下面パネル１３、左側面パネル１４及び右側面パネル１５のそれぞれの短手方向（筐体１１の厚さ方向）の両端縁部には段差が設けられ、この段差位置にアルミ合金製の断面略Ｌ字形のパネル押えフレーム２９がビス３０によって取り付けられている。パネル押えフレーム２９の接合端部は斜めにカットされた突合せ端部となり、また、パネル押えフレーム２９は接合状態において矩形枠を形成している。
【００２４】
さらに、上面パネル１２の中央部には長手方向（筐体１１の幅方向）に延びた透光孔３１が設けられている。透光孔３１は横向きの半円柱状（略かまぼこ形状）のカバー３２によって覆われている。カバー３２の短手方向（筐体１１の厚さ方向）の両端縁部にはフランジ３３が設けられており、このフランジ３３がビス３４によって固定され、カバー３２は上面パネル１２に取り付けられる。
【００２５】
カバー３２の上部内面にはその長手方向（筐体１１の幅方向）に延びた水平ブラケット３５が互いに対向して設けられている。この水平ブラケット３５はこれと同様に筐体１１の幅方向に延びた横長の略矩形の基板３６を配置するためのものである。基板３６はビス３７によって水平ブラケット３５に固定されている。基板３６の下面にはＬＥＤ素子３８が実装されるとともに、図示しない降圧回路などが実装されている。ＬＥＤ素子３８は、基板３６の長手方向に等間隔をあけて複数並んで配列されるとともに、短手方向（筐体１１の厚さ方向）に複数並んで配列されている。
【００２６】
また、水平ブラケット３５の下方には各ＬＥＤ素子３８から照射される光を所定角度以上に拡散させないための傾斜反射面３９が設けられている。周知のように、ＬＥＤの光束は減衰性が低い反面、指向性が高いため、従来の光源に比べて光拡散性に乏しいが、例えば上面から照射すれば下面まで輝度を維持したまま届くようになり、さらに、傾斜反射面３９により光束が適度に広がり、表示パネル１６，１７の外面に形成された宣伝表示を外部に略均一に透光表示することが可能となる。このように、カバー３２、基板３６、基板３６の下面に実装されたＬＥＤ素子３８、傾斜反射面３９がユニット化されることにより、この実施の形態のＬＥＤ光源としての光源ユニット４０となる。
【００２７】
第一の実施の形態によれば、上面パネル１２、下面パネル１３、左側面パネル１４及び右側面パネル１５がそれぞれ略矩形筒状に形成されているため、筐体１１を中空体としても筐体強度が低下しないようになる。また、筐体１１は完全な中空体であるため、これまで光を遮る原因となっていた補強部材による暗視野部分がなくなり、表示パネル１６，１７の明瞭な表示が可能となる。さらに、光源ユニット４０のＬＥＤ素子３８からの光を上面側から下面側に向けて照射することにより、表示パネル１６，１７の略均一な透光表示が可能となる。
【００２８】
また、ＬＥＤ光源として、ユニット化された光源ユニット４０を用いたことで組付けや光量調整などの作業が容易となる。さらに、ユニット化したことで、交換時には光源ユニット４０ごとまとめて交換可能となるため、ＬＥＤ素子ごとに各個交換するという手間を省くことができるとともに、ＬＥＤ素子ごとに交換したいときでも、光源ユニット４０を簡単に筐体１１から取り出すことができるため、作業しやすい別の場所で交換作業を行えるようになる。これにより、メンテナンス性が向上する。
【００２９】
さらに、カバー３２が上面に突出した外観形状であるため、光源にＬＥＤを用いていることを外部に理解させることができる。これにより、照明看板装置１０そのものが省エネ商品であることをアピールすることができる。
【００３０】
なお、第一の実施の形態及びこの形態の他の例では、表示パネル１６，１７の高さが２メートル程度の中型、又は１メートル程度の小型のものであるため、上面パネル１２だけに光源ユニット４０を配置した構成であるが、上面パネル１２に加えて、下面パネル１３にも光源ユニット４０を配置して上面側から下面側と下面側から上面側に向けてそれぞれ照射する構成としてもよい。このような構成によれば、大型の照明看板装置を好適に透光表示することができる。また、必ずしも光源ユニット４０が上面パネル１２にある必要はなく、下面パネル１３、左側面パネル１４及び右側面パネル１５のいずれかに配置した構成としてもよい。
【００３１】
次に、図５乃至７を参照して第二の実施の形態を説明する。なお、第二の実施の形態は、後述するＬＥＤ光源が配置された位置以外は上述した第一の実施の形態と同等の構成である。したがって、以下の説明では第一の実施の形態と同一又は同等の箇所には同一の符号を付し、その説明は省略する。
【００３２】
「第二の実施の形態」
第二の実施の形態においても、図５には筐体１１の高さが２メートル程度の中型のものを示しており、図６には他の例、すなわち、筐体１１の高さが１メートル程度の小型のものを示している。図５と図６の例とは筐体１１のサイズが違うだけでその構造は共通するものである。
【００３３】
図７に示すように、この実施の形態（照明看板装置５０）では、上面パネル１２の内面に前述したＬＥＤ光源となる光源ユニット６０が配置されている。光源ユニット６０は、上面パネル１２に配置される基板６１と、基板５１の下面に実装されるＬＥＤ素子３８と、同じく基板６１に実装される図示しない降圧回路などの各種回路とを備えている。基板６１は、筐体１１の幅方向に延びている。また、基板６１には短手方向（筐体１１の厚さ方向）の両端縁部が所定角度屈曲されてなる傾斜反射面６２が設けられている。基板６１はビス６３によって上面パネル１２の内面に固定されている。ＬＥＤ素子３８は、基板６１の長手方向に等間隔をあけて複数並んで配列されるとともに、短手方向に複数並んで配列されている。
【００３４】
ＬＥＤ素子３８から照射された光は、筐体１１の上面から下面まで輝度を維持したまま届くようになり、また、傾斜反射面６２により光束が適度に広がり、表示パネル１６，１７の外面に形成された宣伝表示を外部に略均一に透光表示することが可能となる。
【００３５】
第二の実施の形態によれば、第一の実施の形態と同様、上面パネル１２、下面パネル１３、左側面パネル１４及び右側面パネル１５がそれぞれ略矩形筒状に形成されているため、筐体１１を中空体としても筐体強度が低下しないようになる。また、筐体１１は完全な中空体であるため、これまで光を遮る原因となっていた補強部材による暗視野部分がなくなり、表示パネル１６，１７の明瞭な表示が可能となる。さらに、光源ユニット６０のＬＥＤ素子３８からの光を上面側から下面側に向けて照射することにより、表示パネル１６，１７の略均一な透光表示が可能となる。
【００３６】
また、ＬＥＤ光源として、ユニット化された光源ユニット６０を用いたことで組付けや光量調整などの作業が容易となる。さらに、ユニット化したことで、交換時には光源ユニット６０ごとまとめて交換可能となるため、ＬＥＤ素子ごとに各個交換するという手間を省くことができるとともに、ＬＥＤ素子ごとに交換したいときでも、光源ユニット６０を簡単に筐体１１から取り出すことができるため、作業しやすい別の場所で交換作業を行えるようになる。これにより、メンテナンス性が向上する。
【００３７】
さらに、ＬＥＤ光源（光源ユニット）６０が筐体１１の上面パネル１２に配置されることで上面側からの光の照射が可能となるとともに、外観をシンプルに構成することができる。
【００３８】
なお、第二の実施の形態及びこの形態の他の例でも、上述した第一の実施の形態と同様に表示パネル１６，１７の高さが２メートル程度の中型、又は１メートル程度の小型のものであるため、上面パネル１２だけに光源ユニット６０を配置した構成であるが、上面パネル１２に加えて、下面パネル１３にも光源ユニット６０を配置して上面側から下面側と下面側から上面側に向けてそれぞれ照射する構成としてもよい。このような構成によれば、大型の照明看板装置を好適に透光表示することができる。また、必ずしも光源ユニット６０が上面パネル１２にある必要はなく、下面パネル１３、左側面パネル１４及び右側面パネル１５のいずれかに配置した構成としてもよい。
【符号の説明】
【００３９】
１０，５０…照明看板装置
１１…筐体
１２…上面パネル
１３…下面パネル
１４…左側面パネル
１５…右側面パネル
１６…（正面）表示パネル
１７…（背面）表示パネル
３８…ＬＥＤ素子
４０，６０…ＬＥＤ光源となる光源ユニット
【図１】
2013050620.tif 000003
【図２】
2013050620.tif 000004
【図３】
2013050620.tif 000005
【図４】
2013050620.tif 000006
【図５】
2013050620.tif 000007
【図６】
2013050620.tif 000008
【図７】
2013050620.tif 000009
【図８】
2013050620.tif 000010